(57)【要約】 【課題】  ゴミ箱の設置が大がかりでなく且つ高コストにならず、また、いかなる路面条件であったとしても転倒することなく見栄え良く設置でき、更に、既存の自動販売機にも簡単に設置できる自動販売機用のゴミ箱，及びゴミ箱の自動販売機への取付構造を提供すること。【解決手段】  自動販売機Ｊの側方に設置されるゴミ箱Ｇであって、着磁力を付与されたエラストマー製のシート部材３を、ゴミ箱Ｇの側部に取り付け又は固着してある。自動販売機Ｊの側方にゴミ箱Ｇを設置する構造であって、自動販売機Ｊの側面に着磁力を付与されたエラストマー製のシート部材３を取り付け又は固着すると共に、ゴミ箱Ｇの側部に磁性金属板５を備えたものとし、前記磁性金属板５をシート部材３に磁着するようにしている。【選択図面】  図３
2006276945.tif 000002
【特許請求の範囲】
【請求項１】
自動販売機の側方に設置されるゴミ箱であって、着磁力を付与されたエラストマー製のシート部材を、ゴミ箱の側部に取り付けてあることを特徴とする自動販売機用のゴミ箱。
【請求項２】
自動販売機の側方に設置されるゴミ箱であって、着磁力を付与されたエラストマー製のシート部材を、ゴミ箱の側部に固着してあることを特徴とする自動販売機用のゴミ箱。
【請求項３】
自動販売機の側方にゴミ箱を設置する構造であって、自動販売機の側面に着磁力を付与されたエラストマー製のシート部材を取り付けると共に、ゴミ箱の側部に磁性金属板を備えたものとし、前記磁性金属板をシート部材に磁着するようにしたことを特徴とするゴミ箱の自動販売機への取付構造。
【請求項４】
自動販売機の側方にゴミ箱を設置する構造であって、自動販売機の側面に着磁力を付与されたエラストマー製のシート部材を固着すると共に、ゴミ箱の側部に磁性金属板を備えたものとし、前記磁性金属板をシート部材に磁着するようにしたことを特徴とするゴミ箱の自動販売機への取付構造。
【発明の詳細な説明】
【技術分野】
【０００１】
この発明は、清涼飲料水、酒類、お菓子等の自動販売機、特に自動販売機用のゴミ箱、及びゴミ箱の自動販売機への取付構造に関するものである。
【背景技術】
【０００２】
自動販売機は、大部分の販売物が時間に関係なく購入できることから、老若男女を問わず、その利用者は非常に多い。近年は首都圏内・外を問わずあらゆる所に設置されており、設置台数は国内だけでも５００万台以上と言われている。
【０００３】
このように、自動販売機は、その便利さから非常に人気があるが、その反面、自動販売機の存在自体を疑問視する声も聞かれる。その理由は、以下の（１）（２）に示すようなことが多い。
（１）自動販売機の設置場所が必ずしも平面上の安定した場所であるわけではなく、このためゴミ箱が設置されていない場合がある。このような場合、販売対象が飲料水である場合には、空き缶や空になったペットボトルがその周辺に置かれたり、投げ捨てられたりするため、近所からの苦情も非常に多い。
（２）強風や地震等により簡単にゴミ箱が転倒して、その内部のゴミが近辺に散乱し、自動販売機付近だけでなく、かなり離れた場所までもゴミが散乱することがある。
【０００４】
そこで、企業側としても上記問題を解決するため、自動販売機内にゴミ箱を有するものを提案している（例えば、特許文献１。）が、この形態では自動販売機の構造が大がかりになると共に高コストとなるので、その設置台数や設置場所は限られていた。
【０００５】
また、既存の自動販売機に新たにゴミ箱を不用意に転倒しないように取り付けることは困難であり、たとえ、できたとしても見栄えが悪いものにならざるを得なかった。
【０００６】
したがって、自動販売機を取り扱う業界では、ゴミ箱の設置が大がかりでなく且つ、高コストにならず、また、いかなる路面条件であったとしても転倒することなく見栄えよく設置でき、更に、既存の自動販売機にも簡単に設置できる自動販売機用のゴミ箱、及びゴミ箱の自動販売機への取付構造が開発されることを待ち望んでいる。
【特許文献１】特開２００１−１０７５８７
【発明の開示】
【発明が解決しようとする課題】
【０００７】
そこで、この発明では、ゴミ箱の設置が大がかりでなく且つ高コストにならず、また、いかなる路面条件であったとしても転倒することなく見栄え良く設置でき、更に、既存の自動販売機にも簡単に設置できる自動販売機用のゴミ箱、及びゴミ箱の自動販売機への取付構造を提供することを課題とする。
【課題を解決するための手段】
【０００８】
（請求項１記載の発明）
この発明は、自動販売機の側方に設置されるゴミ箱であって、着磁力を付与されたエラストマー製のシート部材を、ゴミ箱の側部に取り付けてある。
（請求項２記載の発明）
この発明は、自動販売機の側方に設置されるゴミ箱であって、着磁力を付与されたエラストマー製のシート部材を、ゴミ箱の側部に固着してある。
（請求項３記載の発明）
この発明は、自動販売機の側方にゴミ箱を設置する構造であって、自動販売機の側面に着磁力を付与されたエラストマー製のシート部材を取り付けると共に、ゴミ箱の側部に磁性金属板を備えたものとし、前記磁性金属板をシート部材に磁着するようにしている。
（請求項４記載の発明）
この発明は、自動販売機の側方にゴミ箱を設置する構造であって、自動販売機の側面に着磁力を付与されたエラストマー製のシート部材を固着すると共に、ゴミ箱の側部に磁性金属板を備えたものとし、前記磁性金属板をシート部材に磁着するようにしている。
【発明の効果】
【０００９】
この発明の自動販売機用のゴミ箱、及びゴミ箱の自動販売機への取付構造によると、ゴミ箱の設置が大がかりでなく且つ高コストにならず、また、いかなる路面条件であったとしても転倒することなく見栄え良く設置でき、更に、既存の自動販売機にも簡単に設置できる。
【実施例１】
【００１０】
図１はこの発明の実施例１の自動販売機用のゴミ箱Ｇの斜視図、図２は前記ゴミ箱Ｇの分解斜視図、図３は前記ゴミ箱Ｇを自動販売機Ｊの側方に設置した状態の半断面図を示している。
（この自動販売機用のゴミ箱Ｇの構成について）
この自動販売機用のゴミ箱Ｇは、基本的には合成樹脂により構成されており、図１に示すように、ゴミ箱本体１とこれ上端開放部を被う蓋体２とから構成されている。
【００１１】
前記ゴミ箱本体１は、図１や図２に示すように、上面開放の直方体形状のものであり、自動販売機Ｊと対向する面に、着磁力を付与されたエラストマー製のシート部材３（例えば３００ｍｍ×３００ｍｍ）をリベット４で止着してある。なお、シート部材３は自動販売機Ｊにほぼ全面で磁着するように、図３に示すように、シート部材３をゴミ箱本体１にリベット４で止着した状態においては、リベット４の頭部４０がシート部材３の外平面よりも内部に没入するようにしている。
【００１２】
前記蓋体１は、図１や図２に示すように、キャップ形状に構成されており、前面側に空き缶や空のペットボトルを投入するための二つの孔部２０，２０を穿設してある。
【００１３】
ここで、このゴミ箱Ｇでは、図１や図３に示すように、蓋体２の下端片はゴミ箱本体１の上端片の外側に嵌め込むようにしてあり、また平面視で蓋体２がゴミ箱本体１からはみ出すようなことがない構造としてある。
【００１４】
また、上記したシート部材３は、エラストマーに着磁した部材を混入し、薄く成形したものが用いられる。
（このゴミ箱Ｇを製造する方法について）
このゴミ箱Ｇは、図２に示すように、各リベット４を、シート部材３に形成した円孔３０，３０，３０，３０及びゴミ箱本体１に形成した円孔１０，１０，１０，１０に挿通させ、ゴミ箱本体１内に突出した各リベット４部分をそれぞれカシメるようにするだけで製造できる。
（このゴミ箱Ｇを自動販売機Ｊへの取り付けについて）
この自動販売機用のゴミ箱Ｇは上記の如き構成であるから、図３に示すように、シート部材３の着磁力により自動販売機Ｊの側面（金属部分）に強固に取り付けることができる。
【００１５】
したがって、この自動販売機用のゴミ箱３を使用した場合以下の優れた機能を発揮する。
(1) 従来使用していた自動販売機用のゴミ箱に、シート部材３をリベット４で止着するだけであるから、ゴミ箱の設置が大がかりでなく且つ高コストにならない。
(2) シート部材３の存在により自動販売機Ｊに（図３に示す如く接地させた状態でも、路面から離した状態でも）強固に取り付けることができ、このためいかなる路面条件であったとしても転倒することはない。
(3) ゴミ箱Ｇを自動販売機Ｊに取り付けた状態では、シート部材３１はほとんど見えないので、見栄え良く設置できる。
(4) シート部材３の着磁力により自動販売機Ｊの側面（金属部分）に取り付けるものであるから、既存の自動販売機にも簡単に設置できる。
【００１６】
「実施例１に類似するその他の形態」
なお、この実施例の如くゴミ箱本体１にシート部材３１をリベット４により止着するのではなく、接着剤（固着）やボルトナット（取り付け）で止着してもよい。
【実施例２】
【００１７】
図４はこの発明の実施例２の自動販売機用のゴミ箱Ｇの斜視図、図５は前記ゴミ箱Ｇの分解斜視図、図６は前記ゴミ箱Ｇを自動販売機Ｊの側方に設置した状態の半断面図を示している。
（この自動販売機用のゴミ箱Ｇの構成及び機能について）
この自動販売機用のゴミ箱Ｇは、上記実施例１と同様のシート部材３を使用しているという点では同じであるが、この実施例２では図４〜図６に示す如くゴミ箱Ｇの補強の意味で、ゴミ箱本体１に磁性金属板５（例えば鋼板）をリベット４を止着し、前記磁性金属板５にシート部材３を接着（磁着でもよい）している。
【００１８】
このゴミ箱Ｇは、基本的には実施例１と同様であり、したがって上記した（このゴミ箱Ｇを自動販売機Ｊへの取り付けについて）の欄に記載した(1) 〜(4) の全ての機能を有していることが明らかである。
【００１９】
「実施例２に類似するその他の形態」
なお、この実施例の如くゴミ箱本体１に磁性金属板５をリベット４を止着するのではなく、接着剤（固着）やボルトナット（取り付け）で止着してもよい。
【実施例３】
【００２０】
図７は自動販売機Ｊの側方にゴミ箱Ｇを取付ける構造の正面図を示している。
【００２１】
この実施例３の構造では、図７に示すように、自動販売機Ｊの側面に着磁力を付与されたエラストマー製のシート部材３をリベット４で取り付け、ゴミ箱Ｇの側面に磁性金属板５をリベット４で止着し、前記磁性金属板５をシート部材３に磁着するようにしている。      
【００２２】
上記構造においても、上記した（このゴミ箱Ｇを自動販売機Ｊへの取り付けについて）の欄に記載した(1) 〜(4) の全ての機能を有していることが明らかである。
【００２３】
「実施例３に類似するその他の形態」
なお、この実施例の如くゴミ箱本体１に磁性金属板５をリベット４を止着するのではなく、接着剤（固着）やボルトナット（取り付け）で止着してもよい。
【図面の簡単な説明】
【００２４】
【図１】この発明の実施例１の自動販売機用のゴミ箱の斜視図。
【図２】前記ゴミ箱の分解斜視図。
【図３】前記ゴミ箱を自動販売機の側方に設置した状態の半断面図。
【図４】この発明の実施例２の自動販売機用のゴミ箱の斜視図。
【図５】前記ゴミ箱の分解斜視図。
【図６】前記ゴミ箱を自動販売機の側方に設置した状態の半断面図。
【図７】この発明の実施例３の自動販売機の側方にゴミ箱を設置する構造の正面図。
【符号の説明】
【００２５】
Ｊ        自動販売機
Ｇ        ゴミ箱
１        ゴミ箱本体
２        蓋体
３        シート部材
４        リベット
５        磁性金属板
【図１】
2006276945.tif 000003
【図２】
2006276945.tif 000004
【図３】
2006276945.tif 000005
【図４】
2006276945.tif 000006
【図５】
2006276945.tif 000007
【図６】
2006276945.tif 000008
【図７】
2006276945.tif 000009